(57)【要約】      （修正有）【課題】鍵操作による遊技機本体の開放を適正に検知することができる遊技機を提供する。【解決手段】担持固定基板４３にリードスイッチ４５を担持してなる回動検出子４７と、連係端部２０に固定され、該リードスイッチ４５を作動させる磁性体４２を回動鍵片１５と同軸状に回動させる回動カラー４１とを備えてなり、回動鍵片１５をフック解除位置とした場合に、磁性体４２をリードスイッチ４５と対峙させ、鍵操作による遊技機本体２の開放を、リードスイッチ４５のＯＮ作動によって検知するようにした鍵検知装置を備えたものであるから、回動検出子４７及び回動カラー４１を、回動鍵片１５の周辺に充分な取付スペースを有しない遊技機にも容易かつ適正に取り付けることができ、正常な鍵操作による開放を正確に検知できる。【選択図】  図５Ａ
2005013563.tif 000002
【特許請求の範囲】
【請求項１】
遊技盤を備えた遊技機本体が、その一側縁を枢支して外枠に開閉可能に配設され、かつ、該外枠の側部内面に突設された係止突片に、係脱可能なフックを係合して該外枠に閉鎖され、解除して開放可能とするものであって、
遊技機本体の内外方向に形成されて、鍵挿入穴から挿入された鍵の操作により回動する回動軸を備えた鍵本体と、該鍵本体後端に形成された据付け座面から突出する回動軸の連係端部に固定され、その回動により前記フックを係止突片から解除させる回動鍵片とを備えた施錠装置が、遊技機本体に配設されてなる遊技機において、
前記据付け座面に固定される担持固定基板に、リードスイッチを担持してなる回動検出子と、
前記回動軸の連係端部に固定され、該リードスイッチをＯＮ−ＯＦＦ作動させる磁性体を、鍵操作に従って前記回動鍵片と同軸状に回動させる回動カラーとを備えてなり、
回動鍵片をフック解除位置とした場合に、前記回動カラーの磁性体をリードスイッチと対峙させ、鍵操作による遊技機本体の開放を、リードスイッチのＯＮ作動によって検知するようにした鍵検知装置を備えていることを特徴とする遊技機。
【請求項２】
担持固定基板が、リードスイッチの長手方向に亘って、回動カラーと対向する側面を退行させ、狭幅形状とする線欠部を備えてなり、該線欠部の両側でリードスイッチの両側端を担持するようにしたものであることを特徴とする請求項１に記載の遊技機。
【請求項３】
回動カラーが、外周面部に磁性体を配した円環状体に形成され、かつ、据付け座面と回動鍵片との間で、回動軸の連係端部に嵌着されるものであると共に、回動検出子が、据付け座面と回動鍵片との間幅に収設されるものであり、
鍵操作に従って、磁性体をリードスイッチと対峙してＯＮ作動させる作動位置と、リードスイッチから離間してＯＦＦ状態とする停止位置とに回動変位させるようにしたことを特徴とする請求項１又は請求項２に記載の遊技機。
【請求項４】
回動カラーが、外周辺部に磁性体を配設してなる円盤状体に形成され、かつ、回動鍵片の外側で連係端部に固定されるものであると共に、回動検出子が、該磁性体をリードスイッチと対峙するように、高架体を介して軸基板に固定されてなる架橋構成として配設されるものであり、
鍵操作に従って、磁性体をリードスイッチと対峙してＯＮ作動させる作動位置と、リードスイッチから離間してリードスイッチをＯＦＦ状態とする停止位置とに回動変位させるようにしたことを特徴とする請求項１又は請求項２に記載の遊技機。
【請求項５】
担持固定基板が、絶縁性材料から形成されてなり、リードスイッチの両側端を夫々に電気的に接合する担持部が形成されてなるものである請求項１乃至請求項４のいずれか記載の遊技機。
【請求項６】
担持固定基板が、複数の構成基板を厚み方向に積層してなるものであって、
一表面に、リードスイッチの両側端を電気的に接合する担持部と、該リードスイッチのＯＮ作動によって導通する基板回路とが形成された回路構成基板に、少なくとも、該回路を被覆するように他の構成基板が積層されてなるものであることを特徴とする請求項１乃至請求項５のいずれかに記載の遊技機。
【請求項７】
担持固定基板が、施錠装置の据付け座面に固定させる固定具が嵌入される嵌入孔を備えてなり、該嵌入孔が、回動カラーに対するリードスイッチの対向間距離を変更可能なオーバル形状に形成されてなることを特徴とする請求項１乃至請求項６のいずれかに記載の遊技機。
【請求項８】
フックと係止突片との係合状態を検知する係合検知装置と、前記遊技機本体と外枠の開閉状態を検知する開閉検知装置とを備えており、
係合検知装置と開閉検知装置とが遊技機本体の開放を検知した場合に、鍵検知装置が、施錠装置の鍵操作によりリードスイッチがＯＮ作動していないと、遊技機本体への電力供給を切断するようにした不正開放防止手段を備えていることを特徴とする請求項１乃至請求項７のいずれかに記載の遊技機。
【請求項９】
不正開放防止手段が、遊技機本体への電力供給を切断した状態を回復する電源回復装置と、該電源回復装置により電力供給の回復を指示する特定の操作スイッチとを備えているものであることを特徴とする請求項８に記載の遊技機。
【発明の詳細な説明】
【０００１】
【発明の属する技術分野】
本発明は、外枠に遊技機本体が開閉可能に取り付けられたパチンコ遊技機やスロットマシン等の遊技機に関し、詳しくは遊技機本体の開放による不正行為を防止する構成を備えた遊技機に関する。
【０００２】
【従来の技術】
パチンコ遊技機やスロットマシン等の遊技機として、遊技盤を備える遊技機本体が、その一側縁を枢支して外枠に開閉可能に配設され、該外枠の側部内面に突成された係止突片に、該遊技機本体に設けられた施錠装置により作動するフックを係合することによって、遊技機本体を該外枠に閉鎖し、該施錠装置の鍵操作によりフックを解除して開放可能とする構成が一般的である。そして、この施錠装置にあっては、遊技機本体の内外方向に形成されて、鍵挿入穴から挿入された鍵の操作により回動する回動軸を備えた鍵本体と、該鍵本体後端に形成された据付け座面から突出する回動軸の連係端部に固定され、その回動により前記フックを係止突片から解除させる回動鍵片とを備えている。このような遊技機は、正規の作業者等が施錠装置を鍵操作して遊技機本体を前面方向に開放することによって、遊技機本体の背面に配設されている制御装置等の整備や調整作業を行えるようになっている。
【０００３】
このような遊技機にあって、遊技機本体を外枠に閉鎖状態とするフックは、外枠の係止突片と係合する方向にバネ等により付勢されており、閉鎖状態ではフックが該付勢により係止突片に充分な力で係合されるようになっている。そして、遊技機本体を開放する場合は、施錠装置の鍵操作により、フックを係合方向と逆方向に作動させ、係止突片との係合を解除させる。一方、開放された遊技機本体を閉鎖する場合は、該遊技機本体を外枠に押し込み、フックを係止突片に係合させる。すなわち、施錠装置は開放する場合のみフックを作動させる構成である。このため、フックを係合方向と逆方向に直接動かすことにより、施錠装置の鍵操作することなく遊技機本体を外枠から開放することも可能である。かかる構成を利用し、昨今、施錠装置の鍵操作することなくフックを解除して、遊技機本体を外枠から開放し、背面に配設されている制御装置に細工して大量の遊技球やメダル等を得るという悪質な不正行為が増加する傾向にある。
【０００４】
上記の不正行為に対して、遊技機本体が外枠から開放されたことを検知する開放検出装置を配設し、遊技機本体が開放された場合には、該開放検出装置により所定の報知装置により開放状態を報知することによって、不正行為を防止するようにした構成が提案されている（例えば、特許文献１）。
【０００５】
【特許文献１】
特開２０００−１７６１３９号公報
【０００６】
【発明が解決しようとする課題】
ところで、上述した開放検出装置を備える構成にあっては、不正行為と、遊技機の不都合等を是正するための正常な開放行為とのいずれの場合にも報知が行われることから、この両者を区別することができないという問題があった。そのため、本発明者らは、鍵操作を検知する鍵検知装置と、フックの係合状態を検知する係合検知装置と、遊技機本体の開閉状態を検知する開放検知装置とを備え、各検知装置による検知作動によって、不正行為による開放と、正常な開放とを明確に区別し、かつ、不正行為である場合には当該遊技機への電力供給を停止するようにした構成を既に提案している。かかる構成にあっては、不正行為による利益を全く供与せず、かつ、不正行為を防止できるという優れた作用効果を発揮し得るものである。
【０００７】
かかる構成の鍵検知装置にあっては、上述した施錠装置の回動鍵片がフックを解除する位置となった時に、正常に鍵操作が行われて開放されたことを検知するものである。そのため、鍵検知装置として、回動鍵片に隣接して、可動アームの作動によりＯＮ−ＯＦＦするマイクロスイッチを備え、この回動鍵片がフック解除位置となると、該回動鍵片によりマイクロスイッチがＯＮ作動するようにした構成を例示した。ところが、このようなマイクロスイッチは、ある程度の取付スペースを必要としたり、該回動鍵片をボタンスイッチのＯＮ操作を行い得るような形状にする必要があった。そのため、現状の遊技機に取り付けるには、取付位置を工夫したり、所定形状の回動鍵片に変更したりする等、取付作業が繁雑化する等の問題が生じていた。
【０００８】
本発明は、上記従来の問題を解決し、現状の遊技機に容易に取り付けることができ、かつ、正常な鍵操作による開放を適正に検知できる遊技機を提供するものである。
【０００９】
【課題を解決するための手段】
本発明は、上述した遊技機本体を開閉可能な遊技機にあって、据付け座面に固定される担持固定基板に、リードスイッチを担持してなる回動検出子と、回動軸の連係端部に固定され、該リードスイッチをＯＮ−ＯＦＦ作動させる磁性体を、鍵操作に従って前記回動鍵片と同軸状に回動させる回動カラーとを備えてなり、回動鍵片をフック解除位置とした場合に、前記回動カラーの磁性体をリードスイッチと対峙させ、鍵操作による遊技機本体の開放を、リードスイッチのＯＮ／ＯＦＦ変換によって検知するようにした鍵検知装置を備えていることを特徴とする（請求項１）。尚、回動鍵片がフック解除位置にない場合、すなわち、フックの係合位置にある場合には、回動カラーの磁性体はリードスイッチがＯＮ作動する作動位置から離れ、該リードスイッチをＯＦＦ状態とする。
【００１０】
かかる構成にあって、回動検出子は、担持固定基板により比較的薄くかつ小型のリードスイッチを据付け座面に固定されるものであるから、薄くコンパクトな形状として構成することが可能となる。また、回動カラーは、施錠装置に取り付けられる回動鍵片の構成をなんら変更することなく、連係端部に固定し、該回動鍵片と磁性体とを同軸状に回動するようにしたものである。したがって、このような回動カラーと回動検出子とは、取付スペースに制限がある場合にあっても、繁雑な取付作業や施錠装置の構成の変更等を必要とせず、容易かつ適正に取り付けることが可能である。そして、昨今、遊技場等に配設されている様々な遊技機の施錠装置にも比較的容易に後付けすることができる。また、かかるリードスイッチは、該リードスイッチの予め定められた作動位置に磁性体を対峙させることによりＯＮ作動するものであるから、該リードスイッチを不正にＯＮ作動させることは極めて難しい。而して、本発明の鍵検知装置は、正常な鍵操作による開放を正確に検知することができるものである。すなわち、鍵操作を行わずフックを操作して遊技機本体を開放する不正行為を的確に検知することが可能である。
【００１１】
ここで、リードスイッチをＯＮ作動させる作動位置としては、該リードスイッチの長手方向の特定位置で、特定の距離間隔以内となる位置である。したがって、この作動位置で、磁性体がリードスイッチと相互に向かい合っていることが、両者を対峙させていることとなる。また、互いに向かい合わず、磁性体が回動する面に対する垂直方向に僅かにズレている位置や、回動面の中心方向に僅かにズレている位置でも、リードスイッチをＯＮ作動できるため、これら位置とした磁性体とリードスイッチも、両者が対峙していることに含まれる。
【００１２】
また、上述した担持固定基板が、リードスイッチの長手方向に亘って、回動カラーと対向する側面を退行させ、狭幅形状とする線欠部を備えてなり、該線欠部の両側でリードスイッチの両側端を担持するようにしたものである構成（請求項２）が提案される。かかる構成にあっては、リードスイッチを線欠部に配することにより、担持固定基板の厚みに該リードスイッチの厚みの一部又は全部が含まれることとなるから、回動検出子を一層薄厚形状に形成することが可能である。これにより、さらに狭い領域にも回動検出子を配設することが可能となるため、取付けスペースの制限が厳しい施錠装置に対しても適正かつ容易に設置できる。
【００１３】
上述した鍵検知装置にあって、回動カラーが、外周面部に磁性体を配した円環状体に形成され、かつ、据付け座面と回動鍵片との間で、回動軸の連係端部に嵌着されるものであると共に、回動検出子が、据付け座面と回動鍵片との間幅に収設されるものであり、鍵操作に従って、磁性体をリードスイッチと対峙してＯＮ作動させる作動位置と、リードスイッチから離間してＯＦＦ状態とする停止位置とに回動変位させるようにした構成（請求項３）が提案される。かかる構成にあっては、据付け座面と回動鍵片との間の幅によるスペースに、回動カラーとリードスイッチとを配するようにしたものであるから、施錠装置の回動鍵片の周辺に取付スペースがほとんど無いような遊技機にあっても、鍵操作による開放を検知する鍵検知装置を適切かつ容易に設置することができる。ここで、回動カラー及び回動検出子は、据付け座面と回動鍵片との間幅に収まる薄厚形状とし、回動鍵片の回動を妨げないものとする。特に回動検出子は、上述した請求項２の構成を好適に用い得る。
【００１４】
又は、上述の鍵検知装置にあって、回動カラーが、外周辺部に磁性体を配設してなる円盤状体に形成され、かつ、回動鍵片の外側で連係端部に固定されるものであると共に、回動検出子が、該磁性体をリードスイッチと対峙するように、高架体を介して軸基板に固定されてなる架橋構成として配設されるものであり、鍵操作に従って、磁性体をリードスイッチと対峙してＯＮ作動させる作動位置と、リードスイッチから離間してリードスイッチをＯＦＦ状態とする停止位置とに回動変位させるようにした構成（請求項４）が提案される。ここで、回動鍵片の外側とは、連係端部の先端側を示す。かかる構成にあっては、回動鍵片の外側に配した回動カラーと、架橋構成とした回動検出子とにより鍵検知装置を構成するようにしたものであるから、施錠装置の回動鍵片の周辺に取付スペースがほとんど無いような遊技機や、据付け座面と回動鍵片との間隔が極めて微小であり、ここに設置スペースが無い遊技機などに、容易かつ適正に配設することが可能である。一方、この架橋構成は、上述の請求項３と同じ回動検出子を、高架体を用いて固定することにより形成することも可能である。これにより、遊技機に配設される施錠装置の構成に応じて、適宜架橋構成とするか、上述の請求項３の構成とするかを選択できるという互換性を有し、本発明の意義を一層高め得る。尚、回動カラーの磁性体を配する外周辺部にあっては、該回動カラーの外周面部や、外周辺に隣接する上面部等のように、回動検出子との位置関係により適宜設定することができる。
【００１５】
また、上述の担持固定基板が、絶縁性材料から形成されてなり、リードスイッチの両側端を夫々に電気的に接合する担持部が形成されてなるものとした構成（請求項５）が提案される。かかる構成にあっては、リードスイッチがＯＦＦ状態の場合には、短絡することのない不通状態とし、リードスイッチがＯＮ作動した場合に、該リードスイッチにより導通状態とするものである。これにより、例えば、このリードスイッチに送った電気信号が、流れるか否かにより、該リードスイッチのＯＮ／ＯＦＦ状態を適切に確認できる。したがって、リードスイッチがＯＮ作動することにより、正常な鍵操作が行われたことを正確に検知できる。
【００１６】
また、上述の担持固定基板が、複数の構成基板を厚み方向に積層してなるものであって、一表面に、リードスイッチの両側端を電気的に接合する担持部と、該リードスイッチのＯＮ作動によって導通する基板回路とが形成された回路構成基板に、少なくとも、該基板回路を被覆するように他の構成基板が積層されてなるものである構成（請求項６）が提案される。かかる構成にあっては、リードスイッチは、少なくとも二枚の構成基板の間で担持されることとなるため、例えば、上述した請求項２のような線欠部を備えている構成基板を用いて該線欠部に配設する構成とするか、担持固定基板の側面から側方に突出して担持されるような構成とする。いずれにしても、担持固定基板の厚みが該リードスイッチの厚みの一部又は全部を含むこととなるから、比較的容易に回動検出子を薄厚形状にできるものである。また、回路構成基板に設けられた基板回路はリードスイッチのＯＮ／ＯＦＦに従って導通状態と不通状態とに変換されることから、該基板回路に送られた電気信号が、該基板回路を介して流れてくるか否かにより、リードスイッチのＯＮ／ＯＦＦ状態を適正に確認できる。したがって、鍵操作が正常に行われたか否かを正確に検知できる。ここで、基板回路としては、短絡しないように周囲と絶縁されて表面上に形成されるものや、表面に凹溝を形成し、該凹溝内に周囲と絶縁されて形成されるものが好適である。尚、この基板回路の、外部回路と接続する入出力端部を、回路構成基板の側面に形成したり、該回路構成基板の板厚方向に貫通する孔を設けて裏面に形成することが可能である。さらには、この基板回路に被覆される他の構成基板に、板厚方向に貫通する連通孔を設け、該連通孔に対向する位置に入出力端部を形成することも可能である。
【００１７】
さらにまた、上述の担持固定基板が、担持固定基板が、施錠装置の据付け座面に固定させる固定具が嵌入される嵌入孔を備えてなり、該嵌入孔が、回動カラーに対するリードスイッチの対向間距離を変更可能なオーバル形状に形成されてなるものとした構成（請求項７）が提案される。かかる構成により、リードスイッチが正しくＯＮ作動するように、磁性体と距離間隔を確認しながら、回動検出子を据付け座面に固定することができる。したがって、磁性体とリードスイッチとが対峙した場合に、該リードスイッチは適正にＯＮ作動することとなる。
【００１８】
一方、上述した遊技機が、フックと係止突片との係合状態を検知する係合検知装置と、前記遊技機本体と外枠の開閉状態を検知する開閉検知装置とを備えており、係合検知装置と開閉検知装置とが遊技機本体の開放を検知した場合に、鍵検知装置が、施錠装置の鍵操作によりリードスイッチがＯＮ作動していないと、遊技機本体への電力供給を切断するようにした不正開放防止手段を備えている構成（請求項８）が提案される。かかる構成にあっては、施錠装置の鍵操作を正しく実施することなく、フックが解除され、遊技機本体が開放された場合には、遊技機本体が不正に開放されたと判断し、遊技機の電源を切断するようにしたものである。これにより、不正に遊技機本体が開放された場合には、該遊技機での遊技の続行が不可能となることから、遊技の制御回路等に細工が施されても、該不正行為によって利益が付与されることがなく、遊技の健全性を保つことができる。さらに、不正行為を抑止することとなるという優れた利点も生じる。また、遊技場の係員は、不正行為の現場を発見しても直ちに注意する必要もなく、安全を確認した上で遊技機の修復等の作業を行うことができる。
【００１９】
ここで、不正開放防止手段が、遊技機本体への電力供給を切断した状態を回復する電源回復装置と、該電源回復装置により電力供給の回復を指示する特定の操作スイッチとを備えている構成（請求項９）が提案される。ここで、特定の操作スイッチは、正規の係員や整備員等が操作可能なものであって、不正に遊技機本体を開放するような者が操作できないものである。かかる構成により、不正に遊技機本体が開放されて電源が切断された場合に、正規の係員等が容易に電力供給を回復でき、かつ、この不正行為をした者では電力供給を回復できず、不正に利益が付与されることを防止できる。このような特定の操作スイッチとしては、電力供給の開始を指示するボタンスイッチを遊技機本体の背面に設け、係合検知装置と開閉検知装置とが遊技機本体の閉鎖を検知した状態でのみ操作される構成や、施錠装置の鍵にリセットキーを用い、該リセットキーによる鍵操作とする構成等が好適に用い得る。さらには、リモコン操作により電源回復装置が電力供給を回復するように制御するものとしても良い。ここでリモコン操作として、例えば、遊技機本体を外枠に閉鎖又は開放可能とするワイヤーロックをリモコン操作により施錠／解錠する構成を有するものにあって、該ワイヤーロックを施錠操作するリモコン操作を、電力供給の回復を指示するスイッチとして用いることが可能である。また、遊技機本体の前面に配設された呼出ランプ等をリモコン操作する構成にあっては、このリモコン操作を用いて電力供給の回復を指示するスイッチとすることも可能である。
【００２０】
【発明の実施の形態】
本発明にかかる一実施例を、添付図面に従って説明する。
図１はパチンコ遊技機１の正面図であって、パチンコ遊技機１は、遊技機本体２を、矩形外枠１０に被着してなり、ヒンジにより外枠１０に対して遊技機本体２を開閉可能とし、遊技機本体２の背部の各機器の保守管理を容易とするようになっている。また遊技機本体２の前面枠３の遊技窓孔内には遊技盤５が配設され、かつ前面枠３の下部には、玉受皿６や、発射ハンドル７等が設けられている。また、遊技機本体２の右側縁には、後述する施錠装置１４の鍵操作を行う鍵を挿入する鍵挿入穴１６が配されている。
【００２１】
図２はパチンコ遊技機１の裏面図であって、遊技機本体２の背部には、遊技を制御実行するための遊技制御装置２５と、発射ハンドル７の回動作動に従って遊技球を発射する発射装置２６と、遊技球を一時保管するための保管タンク２７とが配設されている。ここで、遊技制御装置２５には、パチンコ遊技機１に主電源（電力供給元）から供給される電力を制御する抵抗器等が設けられた電源装置（図示せず）を備えている。また、右下部には、本発明にかかる不正防止制御基板３０と電源制御装置２８とを配したコントロールボックス２９が設置されている。このコントロールボックス２９は、後述する各検知装置及び前記電源装置と接続されている（図示省略）。一方、外枠１０の、遊技機本体２を開閉する側部内周面には、係止突片１２，１２が上下二ヶ所に突設されている。そして、該係止突片部１２，１２と夫々に係合するための、フック１３，１３が遊技機本体２に設けられている。
【００２２】
ここで、このフック１３（図３参照）は、鈎形の係合突部３２を係止突片１２の係止縁３１に掛けることにより、該係止突片１２と係合するようになっている。そして、フック１３は、該係合突部３２が支持点３３により支えられ、かつ、該支持点３３と偏位する作用点３４で、連成杆１７に支持されている。この連成杆１７は、上下方向に形成されており、もう一方のフック１３も同様に支持し、上下のフック１３，１３を同時作動させるようにしている。そして、後述する施錠装置１４を鍵操作することによって、この連成杆１７が上方向に動き、支持点３３を支点として作用点３４が上方向に傾動し、フック１３の係合突部３２が下方向に動く。これにより、フック１３が係止突片１２から解除されるようになっている。また、この連成杆１７は、スプリング（図示省略）によって下方向（フック１３，１３と係止突片１２，１２との係合方向）に付勢されており、これによってフック１３，１３を充分な力で係止突片１２，１２と係合させると共に、係合状態を保持している。さらに、開放している遊技機本体２を外枠１０に閉鎖する際にあっては、フック１３，１３が係止突片１２，１２に押し付けられるに従って、係合突部３２の傾斜外縁に沿ってフック１３，１３が下方向に動き、その後、係合突部３２が係止縁３１に掛かって係合状態となる。
【００２３】
また、このフック１３，１３と係止突片１２，１２との係合状態を解除する施錠装置１４が遊技機本体２に設けられている（図２参照）。この施錠装置１４には、遊技機前面に配される鍵挿入穴１６（図１参照）を有し、該鍵挿入穴１６に挿入した鍵を操作することにより、遊技機の内外方向に形成された回動軸３５を回動させる鍵本体１８を備えている（図７参照）。さらに、この鍵本体１８の後端には、据付け座面１９が形成されており、該据付け座面１９から回動軸３５の連係端部２０が突出している。そして、この回動軸３５の連係端部２０に、回動鍵片１５が固定されている。ここで、回動鍵片１５には、周方向から外側に突出する可動部２３が形成されており、該可動部２３が、上述した連成杆１７に開口した連係開口３６に挿入される。このような施錠装置１４は、鍵挿入穴１６に挿入した鍵を右方向に操作することにより、図５Ａから図５Ｂのように、回動軸３５が遊技機背面から見て左回りし、この回動軸３５の回転に従って回動鍵片１５の可動部２３が上方に左回動し、連成杆１７の連係開口３６の上縁部３７を押上げる。これにより、連成杆１７が上方向に移動し、上述したように、フック１３，１３の係合突部３１が動き、係止突片１２，１２との係合状態が解除されることとなり、遊技機本体２を外枠１０から開放可能とする。尚、フック１３、１３が係止突片１２，１２に係合されている場合には、回動鍵片１５は、図５Ａのように、連成杆１７の連係開口３６に挿入された状態として維持されている。
【００２４】
次に本発明の要部について説明する。
本実施形態例にあっては、上述した係止突片１２，１２、施錠装置１４、及び外枠１０にはそれぞれ検知装置が設けられている。ここで係止突片１２，１２には、図３のように、可動アームの作動によりＯＮ−ＯＦＦ状態を検知するマイクロスイッチからなる係合検知スイッチ２１が、可動アームが下側となるように係止突片１２に配設されている。そして、この係合検知スイッチ２１は、フック１３の係合突部３２の鈎先端部が、係合状態で、図３（イ）のように可動アームを押してスイッチがＯＮ作動する位置となるようにしたものである。一方、係合突部３２が下方に動き、フック１３が解除されると、図３（ロ）のように可動アームが開放され、スイッチＯＦＦ状態となる。この係合検知スイッチ２１のマイクロスイッチは、後述する不正防止制御基板３０（図９参照）の入力ポート及び出力ポートと夫々に接続され、検知回路を形成している。すなわち、この検知回路は、マイクロスイッチのＯＮ状態で繋がり、ＯＦＦ状態で切れていることとなる。不正防止制御基板３０は、この検知回路に出力ポートを介して係合検知信号を所定時間毎に定期的に発信しており、該検知信号が入力ポートから受信できる場合にはスイッチのＯＮ作動を確認し、該検知信号を入力ポートから受信できない場合にはスイッチのＯＦＦ状態を確認している。このような検知信号の受信有無によって、不正制御基板３０はフック１３，１３の係合又は解除を検知している。
【００２５】
また、図４のように外枠１０の上部位置には、遊技機本体と外枠の開閉状態を検知する開閉検知スイッチ２２が配設されている。この開閉検知スイッチ２２は、上述の係合検知スイッチ２１と同様の、可動アームの作動によりＯＮ−ＯＦＦ状態を検知するマイクロスイッチからなる。そして、遊技機本体２が閉鎖状態では、図４（イ）のように可動アームが遊技機本体２の背面上部により押されてスイッチがＯＮ作動した状態となるように、開閉検知スイッチ２２が設置されている。一方、遊技機本体２が開放されると、図４（ロ）のようにスイッチがＯＦＦ状態となる。この開閉検知スイッチ２２も、上述の係合検知スイッチ２１と同様に、後述する不正防止制御基板３０（図９参照）の入出力ポートに夫々に接合されて検知回路を構成している。そして、不正防止制御基板３０は、定期的に開閉検知信号を発信し、入力ポートで受信できるか否かによってスイッチのＯＮ−ＯＦＦ状態を確認し、遊技機本体２の開閉状態を検知している。
【００２６】
次に、上述した施錠装置１４の鍵操作を検知するための鍵検知装置について説明する。この鍵検知装置は、磁石（磁性体）４２によりリードスイッチ４５をＯＮ−ＯＦＦ作動させることによって鍵操作を検知するようにしたものである。
リードスイッチ４５をＯＮ作動させる磁石（磁性体）４２は、図７のように、所定の厚みを有する円環状体の回動カラー４１の外周面部に、その外周面から該磁石４２が表出するように配されている。そして、この回動カラー４１を、据付け座面１９と回動鍵片１５との間で、回動軸３５の連係突部２０に嵌着させる（図６参照）。これにより、回動カラー１４は鍵操作により回動する連係突部２０に従って、磁石４２を回動鍵片１５と同軸状に回動させる。ここで、この回動カラー４１は、据付け座面１９と回動鍵片１５との隙間に収まるように、薄厚に形成した。本実施形態例にあっては、回動鍵片１５と据付け座面１９との間隔が約３ｍｍであることから、回動カラー４１を約２．９ｍｍの厚みとしている。これにより、連係端部２０に固定する回動鍵片１５の固定位置を変更する必要がないため、該固定鍵片１５や連成杆１７の形状等を変えることなく、比較的容易に設置できる（図６（イ）参照）。
【００２７】
ここで、回動カラー４１は、磁石４２が、図５Ｂのように、回動鍵片１５を鍵操作によってフック１３を係止突片１２から解除させる位置とした場合に、連係端部２０に対して連成杆１７と反対側の、該連係端部２０と同じ水平位置（作動位置Ｘ）となるように、連係端部２０に固定した。したがって、鍵操作が行われない、回動鍵片１５が連成杆１７を動かさない位置では、図５Ａのように、磁石４２が水平位置から上方へ約６０度回転した位置（停止位置Ｙ）となる。尚、本実施形態例にあっては、鍵挿入穴１６に挿入した鍵を、右方向に挿入位置から約６０度回転させる鍵操作により、回動鍵片１５が連成杆１７を移動させてフック１３を解除するように設定している。
【００２８】
尚、回動カラー４１には、外周面部から内周面部に連通して雌螺旋孔が形成されており（図示省略）、該回動カラー４１を連係突部２０に嵌入させた後、該雌螺旋孔に雄螺旋を螺入して、該雄螺旋の先端を連係突部２０の側面に押圧することにより、回動カラー４１を該連係突部２０に固定するようにしている。
【００２９】
一方、リードスイッチ４５は、図７のように、その両側端が据付け座面１９に固定される担持固定基板４３に担持され、回動検出子４７を形成している。ここで担持固定基板４３は、略中央に長手方向に沿って、上述した回動カラー４１に対向する側を退行させて狭幅形状とした線欠部４４を備え、該線欠部４４の両側縁にリードスイッチ４５の両端のリード片４６、４６を接続させて、該リードスイッチ４５を担持するものである。また、担持固定基板４３の両端部には、上述した施錠装置１４の据付け座面１９に固定するための、固定用の螺旋等を嵌入する嵌入孔４８が板厚方向に形成されている。この嵌入孔４８は、前記した線欠部４４に対して略直角方向に延長したオーバル形状となっている。このオーバル形状とすることにより、担持固定基板４３の固定位置を線欠部４４に対して直角方向に調整できるようにしている。
【００３０】
ここで、担持固定基板４３は、図８のように、一表面に基板回路が形成された回路構成基板５２と、該基板回路を被覆するように該回路構成基板５３に積層される被覆構成基板５２との二枚の構成基板から形成されている。尚、回路構成基板５２及び被覆構成基板５３には、上記した線欠部４４及び嵌入孔４８も形成されている。この回路構成基板５２の基板回路にあっては、線欠部４４の両側縁に、リードスイッチ４５の両端のリード片４６，４６を接合する担持部４９，４９と、一方のリード片４６へ外部から電気信号を入力する入力部５０ａと、他方のリード片４６から該電気信号を外部に出力する出力部５０ｂと、該担持部４９，４９から入力部５０ａ又は出力部５０ｂまでを夫々に連結する導通路５１，５１とから形成されている。ここで、回路構成基板５２は、絶縁性の樹脂製材料からなり、その表面に、銅板により担持部４９，４９及び入力部５０ａ，出力部５０ｂが形成され、銅線により導通路５１、５１が形成されている。さらに、この導通路５１は、表面に形成した凹溝内に配設している。これにより、回路構成基板５２内で電気的な短絡現象が生じないようにしている。
【００３１】
また、被覆構成基板５３には、一表面に、その線欠部４４の両側端縁を、該両側端からそれぞれ側方向に切り欠いてなる被覆凹部５６，５６が形成されている。この被覆凹部５６，５６は、上記した回路構成基板５２の担持部４９、４９に比して僅かに大きく形成されており、この表面を回路構成基板５２側として被覆構成基板５３を積層した場合に、担持部４９，４９が入り、該担持部４９，４９の厚みを相殺する役目を担っている。さらに、この被覆構成基板５３には、回路構成基板５２に積層された場合に、入力部５０ａ及び出力部５０ｂに対向する位置に、板厚方向に連通した入力孔５４ａ及び出力孔５４ｂが形成されている。この入力孔５４ａ、出力孔５４ｂを介して、被覆構成基板５３の外側から、後述する不正防止制御基板３０と接続されたリード線５５，５５（図５Ａ，図５Ｂ参照）が入力部５０ａ，出力部５０ｂに接続される。かかる入力孔５４ａ及び出力孔５４ｂも、担持部４９と同様に、入力部５０ａ及び出力部５０ｂの厚みを相殺する役目も担っている。尚、この被覆構成基板５３にあっても、上記の回路構成基板５２と同様に、絶縁性の樹脂材料により形成され、積層した場合に、電気的な短絡現象が生じないようにしている。
【００３２】
ここで、本実施形態例にあっては、リードスイッチ４５を約２．２ｍｍ厚のものを使用し、かつ、回路構成基板５２及び被覆構成基板５３は、それぞれ約１．２ｍｍ厚としている。そして、これらを積層してなる担持固定基板４３は、上述のように担持部４９、４９及び入力部５０ａ，出力部５０ｂの厚みにより板厚が増加することがないため、この板厚は、回路構成基板５２と被覆構成基板５３との板厚を加算した約２．４ｍｍ厚となる。
【００３３】
このような回動検出子４７は、図５Ａ及び図５Ｂのように、回動軸３５に対して連成杆１７と反対側の、鍵本体１８の据付け座面１９に、リードスイッチ４５が遊技機本体２の上下方向に沿うように固定される。ここで、回動検出子４７は、上述した回動カラー４１の磁石４２が連係突部２０と同じ水平位置となった場合に、リードスイッチ４５がＯＮ作動するように、上下方向の位置が固定されている。この回動検出子４７は、厚みが約２．４ｍｍであることから、上述したように、据付け座面１９と回動鍵片１５との隙間の約３ｍｍよりも薄く、鍵操作によって回動する回動鍵片１５を妨げることが無い（図６（ロ）参照）。
【００３４】
ここで、上述したように回動カラー４１は、図５Ｂのように回動鍵片１５がフック１３を解除する位置となった場合に、磁石４２を連係突部２０と同じ水平位置となるようにしている。この水平位置となった磁石４２は、回動検出子４７のリードスイッチ４５と対峙し、該リードスイッチ４５がＯＮ作動されることとなる。すなわち、この磁石４２の水平位置が、いわゆる作動位置Ｘである。ここで、作動位置Ｘとした磁石４２とリードスイッチ４５とは約１ｍｍの距離となるように、回動検出子４７を、嵌入孔４８の固定位置を調整して配設した。また、図５Ａのように鍵操作されていない状態では、上述したように磁石４２が、水平位置（作動位置Ｘ）から約６０度上方に回動した位置に在り、リードスイッチ４５がＯＦＦ状態となる。すなわち、この位置が停止位置Ｙである。
【００３５】
このような回動検出子４７は、上述の係合検知スイッチ２１や開閉検知スイッチ２２と同様に、後述する不正防止制御基板３０の入力ポート及び出力ポートと接続され、検知回路を形成している。そして、不正防止制御基板３０が、出力ポートを介して定期的に発した鍵検知信号が、入力ポートを介して受信できた場合には、リードスイッチ４５がＯＮ作動していることを確認し、該鍵検知信号が入力ポートに受信できない場合には、リードスイッチ４５のＯＦＦ状態を確認する。このように、鍵検知信号を受信できるか否かによって、施錠装置１４が正常な鍵操作を行われたか否かを、不正防止制御基板３０は検知している。このように、回動カラー４１及び回動検出子４７を施錠装置１４に配設することにより、鍵操作が正常に行われたことを検知する鍵検知装置が構成されている。
【００３６】
さらに、本実施形態例にあっては、電源切断の回復を指示するための電源回復スイッチとして、図示しない鍵式のリセットスイッチ（図９参照）を備えている。この鍵式のリセットスイッチにあっては、上記の施錠装置１４の鍵本体１８に組み込まれ、その鍵操作によってＯＮ作動するものである。このリセットスイッチは、鍵挿入穴１６に挿入され、鍵操作された鍵を、回動鍵片１５がフック１３を係合した状態とする位置（磁石４２の停止位置Ｙ）に戻した後、鍵挿入穴１６から抜くことにより、ＯＮ作動するようになっている。このリセットスイッチにあっても、後述の不正防止制御基板３０の入出力ポートに接続されており、不正防止制御基板３０が、定期的に発信した検知信号を、該リセットスイッチのＯＮ作動により受信できた場合に、電力供給を回復するように制御している。
【００３７】
また、上述の各検知スイッチ及び電源回復スイッチ２４と、電力供給の切断及び回復とを統括的に制御する不正防止制御基板３０が、コントロールボックス２９に収められ、遊技機本体２の背面に配設されている（図２参照）。ここで、この不正防止制御基板３０には、図９のように、上述した係合検知スイッチ２１、開閉検知スイッチ２２、回動検出子４７及び、鍵本体１８内に設置された電源回復スイッチ２４が夫々に接続された入力ポート（図示省略）及び出力ポート（図示省略）と、該入力ポートから受信した信号を処理し、電源切断や電源回復などの指示を行う中央制御装置ＣＰＵ（図示省略）と、該中央制御装置ＣＰＵの処理データや固定データ等を記憶する記憶装置（図示省略）等が配設されている。この不正防止制御基板３０は、上述のように、予め定められた処理過程に従って、所定時間（約２ｍｓ）毎に、定期的に検知信号を、出力ポートを介して係合検知スイッチ２１、開閉検知スイッチ２２、回動検出子４７に発信している。
【００３８】
さらに、この不正防止制御基板３０には、出力ポート（図示省略）を介してコントロールボックス２９内に配された、電力供給の切断と回復とを行う電源制御装置２８が接続されている。この電源制御装置２８には、パチンコ遊技機１の遊技制御装置２５に設けられた電源装置及び、該パチンコ遊技機１に電力を供給する主電源が夫々に接続されている。そして、不正制御基板３０からの指示信号に従って、電源制御装置２８は、パチンコ遊技機１の電源装置と主電源とを切断する作動、又は、これらを接続する作動を実行する。このような不正防止制御基板３０、電源制御装置２８、係合検知スイッチ２１、開閉検知スイッチ２２、回動カラー４１及び回動検出子４７からなる鍵検知装置、鍵式のリセットスイッチ（電源回復スイッチ２４）によって、本発明の不正開放防止手段が形成されている。
【００３９】
次に、このような不正開放防止手段の作動態様を、遊技機本体２の開閉作動に従って説明する。
常態では、遊技機本体２が外枠１０と閉鎖状態にあり、係合検知スイッチ２１及び開閉検知スイッチ２２は両者ともスイッチＯＮ状態であり（図３（イ）、図４（イ））、不正防止制御基板３０は、出力ポートから発した係合検知信号及び開閉検知信号を入力ポートで受信して、該ＯＮ状態を確認している。一方、回動検出子４７のリードスイッチ４５は、回動カラー４１の磁石４２が停止位置Ｙ（図５Ａ）であるためＯＦＦ状態となっており、不正防止制御基板３０は出力ポートから発した鍵検知信号を入力ポートで受信できないことから、該ＯＦＦ状態を確認している。
【００４０】
ここで、遊技場の係員が正規に施錠装置１４の鍵操作を行うと、回動鍵片１５が連成杆１７を上方向に移動させることとなり（図５Ｂ）、フック１３，１３の係合突部３２が下方に作動して、係止突片１２，１２との係合が解除される（図３（ロ））。この回動鍵片１５の上方向（背面から見て左方向）への回動と同期して、回動カラー４１が回動し、磁石４２が停止位置Ｙから作動位置Ｘに回動し、作動位置Ｘで磁石４２がリードスイッチ４５と対峙することにより、該リードスイッチ４５がＯＮ作動する（図５Ｂ）。これにより、不正防止制御基板３０は、定期的に発した鍵検知信号を入力ポートで受信し、鍵操作が行われたことを検知する。
【００４１】
一方、上記の鍵操作により、フック１３，１３が、係止突片１２，１２から解除されると、係合検知スイッチ２０はスイッチＯＦＦ状態となり、係合検知信号を入力ポートで受信できなくなる（図３（ロ））。これにより、不正防止制御基板３０は、フック１３，１３が解除されたことを検知する。そして、遊技機本体２が外枠１０より開放されると、開閉検知スイッチ２２がスイッチＯＦＦ状態となる（図４（ロ））。これにより、不正防止制御基板３０は、開閉検知信号を入力ポートで受信できなくなり、遊技機本体２が開放されたことを検知する。この場合には、不正防止制御基板３０は、回動検出子４７の鍵検知信号を受信し、かつ、係合検知スイッチ２０の係合検知信号及び開閉検知スイッチ２２の開閉検知信号を受信できないことから、遊技機本体２の開放が正規のものであると判断し、パチンコ遊技機１への電力供給は継続される。
【００４２】
一方、施錠装置１４の鍵操作を行うことなく、不正に遊技機本体２を開放した場合にあっては、フック１３，１３が係止突片１２，１２から解除されることによって、係合検知スイッチ２０がＯＦＦ状態となり、不正防止制御基板３０は係合検知信号を受信できなくなる。さらに、遊技機本体２が外枠１０より開放されて開閉検知スイッチ２２がＯＦＦ状態となり、開閉検知信号も受信できなくなる。ここで、鍵操作が行われていないことから、回動カラー４１の磁石４２は、停止位置Ｙ（図５Ａ）に維持されることから、リードスイッチ４５はＯＦＦ状態を継続し、鍵検知信号は受信できない状態が継続する。この場合は、回動検出子４７の検知信号を受信することなく、係合検知スイッチ２０の係合検知信号及び開閉検知スイッチ２２の開閉検知信号も受信できなくなることから、不正防止制御基板３０は、この遊技機本体２の開放を不正なものであると判断する。そして、不正防止制御基板３０は、電力供給の切断を指示する信号を、出力ポートを介して電源制御装置２８に送信する。この信号を受信した電源制御装置２８は、遊技機本体２の電源装置と主電源とを強制的に切断し、該遊技機本体２への電力供給を停止する。これにより、当該パチンコ遊技機１ではパチンコ遊技を継続することができなくなる。尚、この後、例えば、遊技機本体２の背面の遊技制御装置２５に、多量の賞球が払い出されるようにプログラムされたＲＯＭ（通称裏ＲＯＭ）が取り付けられ、遊技機本体２が再び外枠１０に閉鎖されても、電力供給は回復しないことから、不正な利益が付与されることはない。
【００４３】
このように不正に遊技機本体２が開放され、パチンコ遊技機１への電力供給が切断された場合にあって、再び遊技機本体２の電源装置と主電源とを接続するためには、遊技機本体２を閉鎖して、係合検知スイッチ２０及び開閉検知スイッチ２２をＯＮ状態とする。そして、施錠装置１４を鍵操作した後、再び元の位置（磁石４２の停止位置Ｙ）に戻し、鍵挿入穴１６から鍵を抜くことにより、リセットスイッチがＯＮ作動する。これにより、不正防止制御基板３０は、リセットスイッチに発した検知信号を受信でき、電力供給を回復させる指示信号を電源制御装置２８に送信する。そして、電源制御装置２８は、遊技機本体２と主電源とを接続する。こうして、パチンコ遊技機１の電力供給が回復する。
【００４４】
一方、上述したパチンコ遊技機１と異なり、施錠装置１４の据付け座面１９と回動鍵片１５との間が極めて微小間隔しかない遊技機も存在する。例えば、スロットマシン等の一部機種では、このように据付け座面１９と回動鍵片１５との間隔が微小であるため、上述した回動カラー４１を設置することができない。このような遊技機には、図１０のように、所定の板厚を有する円盤状体の回動カラー６０を用いる。この回動カラー６０は、その中心に連係端部２０の上端と固定螺旋６１により接合する螺旋穴（図示省略）を備え、上面の外周縁部に磁石（磁性体）６２を配した構成である。そして、この回動カラー６０を、連係端部２０に回動鍵片１５に嵌入した後、その外側に固定螺旋６１を用いて該連係端部２０に接合する。これにより、磁石４２を回動鍵片１５の回動と同期して、同軸状に回動させるようにしている。ここで、回動カラー６０は、連成杆１７と同じ側の、回動軸３５と同じ水平位置を作動位置Ｘ’とする。そして、背面方向から見て、約６０度下方の位置を停止位置（図示省略）とするように配設した。
【００４５】
また、回動検出子４７は、上述と同じものを用いた。そして、この回動検出子４７を、リードスイッチ４５が、上記回動カラー６０の、連係端部２０の先端方向の直外側となるように、高架体６３，６３を用いて、据付け座面１９に固定した。このように、回動検出子４７は架橋構成として設置した。ここで、リードスイッチ４５は、遊技機の上下方向に沿うように配され、かつ、作動位置Ｘ’の磁石６２と外方向に約１ｍｍ離れた位置で対峙して、ＯＮ作動するように配されている。これにより、鍵操作が行われ、回動鍵片１５がフック１３を解除すると、回動カラー６０が磁石６２を作動位置Ｘ’として、リードスイッチ４５がＯＮ作動することとなる。
【００４６】
このように、据付け座面１９と回動鍵片１５との間に回動カラーを取り付けるスペースの無い遊技機にあっても、上記した回動カラー６０を該回動鍵片１５の外側で連係端部２０に接合し、かつ、架橋構成により回動検出子４７を配設することにより、容易かつ適正に鍵検知装置を設置することが可能である。したがって、上述した回動カラー４１を据付け座面１９と回動鍵片１５との間に配設する構成と同様、施錠装置１４の鍵操作を適切に検知することが可能である。また、上述と同様に、不正防止制御基板３０、電力制御装置２８、係合検知スイッチ２１、開閉検知スイッチ２２を配置することによって、不正に遊技機本体２を開放する不正行為を防止できる。尚、回動カラー６０、磁石６２及び高架体６３以外の構成については、上述と同じ構成であるため、同じ記号を用い、その説明は省略した。
【００４７】
上述した実施形態例のように、本発明の、不正防止制御基板３０及び電力制御装置２８を備えたコントロールボックス２９と、回動検出子４７及び回動カラー４１を備えた鍵検知装置と、係合検知スイッチ２１を備えた係合検知装置と、開閉検知スイッチ２２を備えた開閉検知装置とからなる不正防止制御手段によって、不正に遊技機本体２を開放して不等な利益を受けようとする不正行為を防止することが可能となる。また、遊技場の係員が、不正行為をしている現場を発見した場合でも、直ちに注意する必要もなく、周囲の安全が充分に確保された後適切な処理をすることができるという優れた利点もある。
【００４８】
さらに、本発明の鍵検知装置にあっては、回動検出子４７及び回動カラー４１を薄肉形状としたことにより、据付け座面１９と回動鍵片１５との間に配設することができるから、施錠装置１４が配された領域に設置スペースが限定されている場合にあっても、容易かつ適正に取付けを行うことができる。而して、現状の様々な遊技機にも、後付けすることができ、上述した作用効果を適切に発揮することが可能である。また、据付け座面１９と回動鍵片１５との間が極めて微小間隔の場合にも、回動カラー６０を配し、かつ、高架体６３により回動検出子４７を架橋構成とすることにより、前記同様、容易かつ適正に取付けできる。これにより、回動検出子４７と、回動カラー４１及び回動カラー６０、高架体６３を持参することにより、本発明の不正防止制御手段の構成を、様々な機種に取付可能である。而して、本発明の不正防止制御手段は、機種に限定されず、現在可動している遊技機に、容易かつ適切に後付けすることができる。
【００４９】
また、上述の実施形態例にあっては、電源回復するリセットスイッチを鍵式のものとした構成であるが、その他の構成として、遊技機本体２の背面にボタンスイッチにより電源回復を行うようにすることもできる。また、遊技機本体２の開放を制限するワイヤーロックを配した遊技機にあっては、このワイヤーロックの施錠及び解除を行うリモコンが発した施錠信号を、不正防止制御基板３０に入力するようにし、この信号に従って電源回復を実行するように制御する構成とすることもできる。このワイヤーロックのリモコン操作により電力供給を回復する構成にあっては、このワイヤーロックも不正開放防止手段の一構成として作用させるものであるから、例えば、不正に開放される場合に、ワイヤーロックが切断されれば、電力供給を回復することはできなくなるため、本発明の電力供給を停止して不正行為を防止するという意義が一層高まる。
【００５０】
また、上述の実施形態例にあって、遊技機本体２の前面に、該遊技機本体２の開放状態及び閉鎖状態とを報知する報知装置を備えることもできる。この報知装置としては、ランプの点灯又は消灯により報知するものや、音響によって報知するもの等が好適に用い得る。このような報知装置を備えることにより、遊技場の係員が遊技機本体２の開放に対し迅速に対応することが可能となる。尚、この報知装置をリモコン操作により操作可能な構成として、当該リモコン操作を上述した電源回復装置の操作スイッチとすることもできる。
【００５１】
一方、上述した実施形態例にあっては、担持固定基板４３を構成する回路構成基板５２及び被覆構成基板５３を絶縁性の樹脂材料により形成したものであるが、その他の構成として、ステンレスやジュラルミン、真鍮等から形成し、表面に絶縁性の塗料等を塗布したものから形成することもできる。かかる構成にあっても、上述の絶縁性の樹脂材料を用いた場合と同様に、短絡防止が可能である。
【００５２】
また、上記の施錠装置１４を不正に操作して、回動鍵片１６を回動させて遊技機本体２を開閉する場合も考えられるため、施錠装置１４に正規の鍵操作を認識するような鍵センサーを別途設けるようにすることもできる。この鍵センサーを不正防止制御基板３０に接続し、正規の鍵操作を該不正防止制御基板３０が認識できるようにすれば、不正に遊技機本体２の開放を検知する効果が一層向上する。
【００５３】
【発明の効果】
本発明は、上述したように、鍵本体の据付け座面に固定される担持固定基板に、リードスイッチを担持してなる回動検出子と、回動軸の連係端部に固定され、該リードスイッチをＯＮ−ＯＦＦ作動させる磁性体を、鍵操作に従って前記回動鍵片と同軸状に回動させる回動カラーとを備えてなり、回動鍵片をフック解除位置とした場合に、前記回動カラーの磁性体をリードスイッチと対峙させ、鍵操作による遊技機本体の開放を、リードスイッチのＯＮ作動によって検知するようにした鍵検知装置を備えるようにしたものであるから（請求項１）、回動検出子及び回動カラーを、回動鍵片の周辺に充分な取付スペースを有しない遊技機にあっても、繁雑な取付作業や施錠装置の構成の変更等することなく、容易かつ適正に取り付けることが可能である。また、昨今、利用されている様々な遊技機に後付けすることも容易である。このような鍵検知装置により、正常な鍵操作による開放を正確に検知することができ、鍵操作を行わずフックを操作して遊技機本体を開放する不正行為を的確に検知することも可能である。
【００５４】
また、上述した担持固定基板が、リードスイッチの長手方向に亘って、回動カラーと対向する側面を退行させ、狭幅形状とする線欠部を備えてなり、該線欠部の両側でリードスイッチの両側端を担持するようにした構成（請求項２）にあっては、該リードスイッチの厚みの一部又は全部が担持固定基板の厚みに含まれることとなり、回動検出子を薄厚形状に形成できる。而して、この回動検出子は、取付けスペースに厳しい制限のある施錠装置にも適正かつ容易に設置可能である。
【００５５】
上述した鍵検知装置にあって、回動カラーが、外周面部に磁性体を配した円環状体に形成され、かつ、据付け座面と回動鍵片との間で、回動軸の連係端部に嵌着されるものであると共に、回動検出子が、据付け座面と回動鍵片との間幅に収設されるものであり、鍵操作に従って、磁性体をリードスイッチと対峙してＯＮ作動させる作動位置と、リードスイッチから離間してＯＦＦ状態とする停止位置とに回動変位させるようにした構成（請求項３）にあっては、施錠装置の回動鍵片の周辺に取付スペースがほとんど無いような遊技機に、回動カラーとリードスイッチとを適切かつ容易に配設し、鍵操作による開放を適正に検知することができるものである。
【００５６】
又は、上述の鍵検知装置にあって、回動カラーが、外周辺部に磁性体を配設してなる円盤状体に形成され、かつ、回動鍵片の外側で連係端部に固定されるものであると共に、回動検出子が、該磁性体をリードスイッチと対峙するように、高架体を介して軸基板に固定されてなる架橋構成として配設されるものであり、鍵操作に従って、磁性体をリードスイッチと対峙してＯＮ作動させる作動位置と、リードスイッチから離間してリードスイッチをＯＦＦ状態とする停止位置とに回動変位させるようにした構成（請求項４）にあっては、施錠装置の回動鍵片の周辺に取付スペースがほとんど無く、かつ、据付け座面と回動鍵片との間隔が極めて微小である遊技機に、回動カラーとリードスイッチとを適切かつ容易に配設し、鍵操作による開放を適正に検知することができるものである。
【００５７】
また、上述の担持固定基板が、絶縁性材料から形成されてなり、リードスイッチの両側端を夫々に電気的に接合する担持部が形成されてなる構成（請求項５）にあっては、担持固定基板上で電気的な短絡現象が生じることを防止でき、このリードスイッチに送った電気信号が流れるか否かにより、該リードスイッチのＯＮ／ＯＦＦ状態を適正に確認できる。
【００５８】
また、上述の担持固定基板が、複数の構成基板を厚み方向に積層してなるものであって、一表面に、リードスイッチの両側端を電気的に接合する担持部と、該リードスイッチのＯＮ作動によって導通する基板回路とが形成された回路構成基板に、少なくとも、該基板回路を被覆するように他の構成基板が積層されてなる構成（請求項６）にあっては、リードスイッチを層間で担持するものであるから、該担持固定基板の厚みによって、該リードスイッチの厚みの全部又は一部が含まれることとなり、比較的容易に薄厚形状の回動検出子を形成できる。また、回路構成基板の基板回路に送った電気信号により、リードスイッチのＯＮ／ＯＦＦ状態を適正に確認でき、鍵操作が正常に行われたか否かを正確に検知できる。
【００５９】
さらにまた、上述の担持固定基板が、担持固定基板が、施錠装置の据付け座面に固定させる固定具が嵌入される嵌入孔を備えてなり、該嵌入孔が、回動カラーに対するリードスイッチの対向間距離を変更可能なオーバル形状に形成されてなる構成（請求項７）にあっては、回動検出子を、リードスイッチが正しくＯＮ作動する、磁性体との距離間隔に調整して固定できるため、該リードスイッチを適正にＯＮ作動させることが可能である。
【００６０】
一方、上述した遊技機が、フックと係止突片との係合状態を検知する係合検知装置と、前記遊技機本体と外枠の開閉状態を検知する開閉検知装置とを備えており、係合検知装置と開閉検知装置とが遊技機本体の開放を検知した場合に、鍵検知装置が、施錠装置の鍵操作によりリードスイッチがＯＮ作動していないと、遊技機本体への電力供給を切断するようにした不正開放防止手段を備えるようにした構成（請求項８）にあっては、施錠装置の鍵操作を正しく実施することなく、不正に遊技機本体が開放された場合に、該遊技機での遊技の続行を不可能とすることにより、該不正行為によって利益が付与されることを防止し、遊技の健全性を保持できるようにしたものである。さらに、このような不正行為を抑止することもできるという優れた利点もある。
【００６１】
ここで、不正開放防止手段が、遊技機本体への電力供給を切断した状態を回復する電源回復装置と、該電源回復装置により電力供給の回復を指示する特定の操作スイッチとを備えるようにした構成（請求項９）にあっては、不正に遊技機本体が開放されて電源が切断された場合に、正規の係員等が容易に電力供給を回復でき、かつ、この不正行為をした者では電力供給を回復できず、不正に利益が付与されることを防止できる。
【図面の簡単な説明】
【図１】パチンコ遊技機１の正面図である。
【図２】パチンコ遊技機１の裏面図である。
【図３】係合検知スイッチ２０の作動を示す説明図である。
【図４】開閉検知スイッチ２０の作動を示す説明図である。
【図５Ａ】鍵検知スイッチの、回動カラー４１の磁石４２を停止位置Ｙとした状態を示す説明図である。
【図５Ｂ】鍵検知スイッチの、回動カラー４１の磁石４２を作動位置Ｘとした状態を示す説明図である。
【図６】回動カラー４１と回動検出子４７とを配設した状態を表す、（イ）回動カラー４１側からの側面図と、（ロ）回動検出子４７側からの側面図である。
【図７】施錠装置１４の鍵本体１８への、回動カラー４１、回動検出子４７、回動鍵片１５の取付状態を示す説明図である。
【図８】回動検出子４７の、担持固定基板４３の構成を表す説明図である。
【図９】不正防止制御回路を示すブロック図である。
【図１０】回動カラー６０と、架橋構成により配した回動検出子４７とを備えた、他の鍵検知装置を表す、（イ）平面図と、（ロ）回動カラー６０側からの側面図である。
【符号の説明】
１  パチンコ遊技機（遊技機）
２  遊技機本体
１０  外枠
１２  係止突片
１３  フック
１４  施錠装置
１５  回動鍵片
１８  鍵本体
１９  据付け座面
２０  連係突部
２１  係合検知スイッチ
２２  開閉検知スイッチ
３０  不正防止制御基板
４１  回動カラー
４２  磁石（磁性体）
４３  担持固定基板
４４  線欠部
４５  リードスイッチ
４７  回動検出子
【図１】
2005013563.tif 000003
【図２】
2005013563.tif 000004
【図３】
2005013563.tif 000005
【図４】
2005013563.tif 000006
【図５Ａ】
2005013563.tif 000007
【図５Ｂ】
2005013563.tif 000008
【図６】
2005013563.tif 000009
【図７】
2005013563.tif 000010
【図８】
2005013563.tif 000011
【図９】
2005013563.tif 000012
【図１０】
2005013563.tif 000013